【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
自装置の位置情報を取得する位置情報取得手段と、
前記位置情報取得手段によって取得した位置情報と自装置に入力された入力情報とを、自装置の識別情報と他の通信装置の識別情報とを対応付けて記憶するとともに該他の通信装置の位置情報と該他の通信装置に入力された入力情報とを記憶する記憶装置に送信する送信手段と、
自装置と対応付けられている他の通信装置の位置情報と該他の通信装置に入力された入力情報とを前記記憶装置から受信する受信手段と、
前記受信手段が受信した位置情報または該位置情報に基づいた位置のうちの１以上と、前記受信手段が受信した入力情報とを表示する表示手段とを設けたことを特徴とする通信装置。
【請求項２】
請求項１に記載の通信装置であって、
前記受信手段は、前記位置情報及び入力情報に加え、自装置と対応付けられている他の通信装置の状態を示すステータス情報も前記記憶装置から受信し、
前記表示手段は、前記受信手段が受信したステータス情報も表示することを特徴とする通信装置。
【請求項３】
請求項２に記載の通信装置であって、
前記ステータス情報は、通信装置の動作状態に対応する情報であることを特徴とする通信装置。
【請求項４】
請求項２に記載の通信装置であって、
前記ステータス情報は、通信装置の位置情報に基づいて決まる情報であることを特徴とする通信装置。
【請求項５】
請求項２に記載の通信装置であって、
前記ステータス情報は、通信装置の位置情報及び、予め記憶されている、位置情報とステータス情報との対応関係に基づいて決まる情報であることを特徴とする通信装置。
【請求項６】
請求項１乃至５のいずれか一項に記載の通信装置であって、
前記表示手段は、前記位置情報又は位置及び入力情報を、地図情報と共に表示することを特徴とする通信装置。
【請求項７】
請求項６に記載の通信装置であって、
前記表示手段は、前記位置情報に基づいて、自装置と対応付けられている他の通信装置の位置を示すマークを前記地図情報による地図上に表示し、
さらに、前記マークの選択に応じて、該マークに対応する通信装置の電話番号を前記表示手段に表示させて発呼を可能にする手段を設けたことを特徴とする通信装置。
【請求項８】
請求項６に記載の通信装置であって、
前記表示手段は、前記位置情報に基づいて、自装置と対応付けられている他の通信装置の位置を示すマークを前記地図情報による地図上に表示し、
さらに、前記マークの選択に応じて、該マークに対応する通信装置のメールアドレスが宛先に設定されているメール作成画面を前記表示手段に表示させる手段を設けたことを特徴とする通信装置。
【請求項９】
請求項７又は８に記載の通信装置であって、
前記マークはアイコンであることを特徴とする通信装置。
【請求項１０】
請求項１乃至９のいずれか一項に記載の通信装置であって、
前記位置情報取得手段は、複数の基地局からの電波に基づいて位置を取得する、基地局による位置情報取得手段であることを特徴とする通信装置。
【請求項１１】
通信装置に、
自装置の位置情報を取得する位置情報取得手順と、
前記位置情報取得手順で取得した位置情報と自装置に入力された入力情報とを、自装置の識別情報と他の通信装置の識別情報とを対応付けて記憶するとともに該他の通信装置の位置情報と該他の通信装置に入力された入力情報とを記憶する記憶装置に送信する送信手順と、
自装置と対応付けられている他の通信装置の位置情報と該他の通信装置に入力された入力情報とを前記記憶装置から受信する受信手順と、
前記受信手順で受信した位置情報または該位置情報に基づいた位置のうちの１以上と、前記受信手順で受信した入力情報とを表示する表示手順とを実行させることを特徴とする位置情報処理方法。
【請求項１２】
請求項１１に記載の位置情報処理方法であって、
前記通信装置に、
前記受信手順において、前記位置情報及び入力情報に加え、自装置と対応付けられている他の通信装置の状態を示すステータス情報も前記記憶装置から受信させ、
前記表示手順において、前記受信手段が受信したステータス情報も表示させることを特徴とする位置情報処理方法。
【請求項１３】
請求項１２に記載の位置情報処理方法であって、
前記ステータス情報は、通信装置の動作状態に対応する情報であることを特徴とする位置情報処理方法。
【請求項１４】
請求項１２に記載の位置情報処理方法であって、
前記ステータス情報は、通信装置の位置情報に基づいて決まる情報であることを特徴とする位置情報処理方法。
【請求項１５】
請求項１２に記載の位置情報処理方法であって、
前記ステータス情報は、通信装置の位置情報及び、予め記憶されている、位置情報とステータス情報との対応関係に基づいて決まる情報であることを特徴とする位置情報処理方法。
【請求項１６】
請求項１１乃至１５のいずれか一項に記載の位置情報処理方法であって、
前記通信装置に、
前記表示手順において、前記位置情報又は位置及び入力情報を、地図情報と共に表示させることを特徴とする位置情報処理方法。
【請求項１７】
請求項１６に記載の位置情報処理方法であって、
前記通信装置に、
前記表示手順において、前記位置情報に基づいて、自装置と対応付けられている他の通信装置の位置を示すマークを前記地図情報による地図上に表示させ、
さらに、前記マークの選択に応じて、該マークに対応する通信装置の電話番号を表示して発呼を可能にする手順を実行させることを特徴とする位置情報処理方法。
【請求項１８】
請求項１６に記載の位置情報処理方法であって、
前記通信装置に、
前記表示手順において、前記位置情報に基づいて、自装置と対応付けられている他の通信装置の位置を示すマークを前記地図情報による地図上に表示させ、
さらに、前記マークの選択に応じて、該マークに対応する通信装置のメールアドレスが宛先に設定されているメール作成画面を表示する手順を実行させることを特徴とする位置情報処理方法。
【請求項１９】
請求項１７又は１８に記載の位置情報処理方法であって、
前記マークはアイコンであることを特徴とする位置情報処理方法。
【請求項２０】
請求項１１乃至１９のいずれか一項に記載の位置情報処理方法であって、
前記位置情報取得手順は、複数の基地局からの電波に基づいて位置を取得する手順であることを特徴とする通信装置。
【請求項２１】
通信装置を制御するコンピュータに実行させるためのプログラムであって、前記コンピュータに前記通信装置を制御させることにより、前記通信装置に、請求項１１乃至２０のいずれか一項に記載の位置情報処理方法に係る各手順を実行させるためのプログラム。
【手続補正２】
【補正対象書類名】明細書
【補正対象項目名】発明の名称
【補正方法】変更
【補正の内容】
【発明の名称】通信装置と位置情報処理方法およびプログラム
【手続補正３】
【補正対象書類名】明細書
【補正対象項目名】０００１
【補正方法】変更
【補正の内容】
【０００１】
この発明は、携帯電話、ＰＨＳ、移動体通信装置、ＰＤＡ、ゲーム機、ＧＰＳ装置、ナビゲーション装置、カーナビ装置、携帯電話を接続した車載装置、パーソナルコンピュータ等の位置情報を使用あるいは処理する機能を備えた通信装置、このような通信装置に位置情報を処理させる位置情報処理方法、およびこのような通信装置を制御するコンピュータに実行させるためのプログラムに関する。
【手続補正４】
【補正対象書類名】明細書
【補正対象項目名】０００６
【補正方法】変更
【補正の内容】
【０００６】
そこで、本発明者は特許文献２に示すように、ＧＰＳ等の位置情報取得手段を備えた携帯電話機等の通信端末装置の利便性をより高めることができる通信装置および通信方法を提案した。
それは、携帯電話機等の通信端末装置に、地図情報を記憶する地図情報記憶手段と、位置情報を取得する位置情報取得手段と、取得した位置情報に対応する地図情報が地図情報記憶手段に記憶されている地図情報に含まれるか否かを判断する地図情報検査手段とを備え、取得した位置情報に対応する地図情報が地図情報記憶手段に記憶されている地図情報に含まれていない場合にのみ、ネットワーク側のセンタ局やサーバ装置から地図情報をダウンロードして取得するようにした。
それによって、地図情報を取得するための時間を短縮し、通信費用を低減することができる。
【手続補正５】
【補正対象書類名】明細書
【補正対象項目名】０００８
【補正方法】変更
【補正の内容】
【０００８】
しかしながら、このような通信装置および通信方法によっても、位置情報に基づく地図情報の取得に殆ど限られており、その取得した位置情報と地図情報を通信端末装置の表示画面に表示して、自装置の位置を確認するのが普通の使い方である。
また、最近では目的地を設定し、通信端末装置の現在位置から目的地までの行き方を案内する、いわゆるナビゲーション機能も搭載されつつあるが、その機能も限定的であり、その使い勝手もあまりよくないのが現状である。
この発明は、上述のような現状に鑑み、「位置情報」に着目して、その「位置情報」を利用した利便性の高い通信装置、位置情報処理方法およびプログラムを提案するものである。
【手続補正６】
【補正対象書類名】明細書
【補正対象項目名】０００９
【補正方法】変更
【補正の内容】
【０００９】
この発明は上記の目的を達成するため、通信装置において、自装置の位置情報を取得する位置情報取得手段と、上記位置情報取得手段によって取得した位置情報と自装置に入力された入力情報とを、自装置の識別情報と他の通信装置の識別情報とを対応付けて記憶するとともにその他の通信装置の位置情報とその他の通信装置に入力された入力情報とを記憶する記憶装置に送信する送信手段と、自装置と対応付けられている他の通信装置の位置情報とその他の通信装置に入力された入力情報とを上記記憶装置から受信する受信手段と、上記受信手段が受信した位置情報またはその位置情報に基づいた位置のうちの１以上と、上記受信手段が受信した入力情報とを表示する表示手段とを設けたものである。
【手続補正７】
【補正対象書類名】明細書
【補正対象項目名】００１０
【補正方法】変更
【補正の内容】
【００１０】
このような通信装置において、上記受信手段が、上記位置情報及び入力情報に加え、自装置と対応付けられている他の通信装置の状態を示すステータス情報も上記記憶装置から受信し、上記表示手段が、上記受信手段が受信したステータス情報も表示するようにするとよい。
【手続補正８】
【補正対象書類名】明細書
【補正対象項目名】００１１
【補正方法】変更
【補正の内容】
【００１１】
さらに、上記ステータス情報を、通信装置の動作状態に対応する情報とするとよい。
あるいは、上記ステータス情報を、通信装置の位置情報に基づいて決まる情報とするとよい。
あるいはまた、上記ステータス情報を、通信装置の位置情報及び、予め記憶されている、位置情報とステータス情報との対応関係に基づいて決まる情報とするとよい。
【手続補正９】
【補正対象書類名】明細書
【補正対象項目名】００１２
【補正方法】変更
【補正の内容】
【００１２】
また、上記の各通信装置において、上記表示手段が、上記位置情報又は位置及び入力情報を、地図情報と共に表示するようにするとよい。
さらに、上記表示手段に、上記位置情報に基づいて、自装置と対応付けられている他の通信装置の位置を示すマークを上記地図情報による地図上に表示させ、さらに、上記マークの選択に応じて、そのマークに対応する通信装置の電話番号を上記表示手段に表示させて発呼を可能にする手段を設けるとよい。
【手続補正１０】
【補正対象書類名】明細書
【補正対象項目名】００１３
【補正方法】変更
【補正の内容】
【００１３】
あるいは、上記表示手段に、上記位置情報に基づいて、自装置と対応付けられている他の通信装置の位置を示すマークを上記地図情報による地図上に表示させ、さらに、上記マークの選択に応じて、そのマークに対応する通信装置のメールアドレスが宛先に設定されているメール作成画面を上記表示手段に表示させる手段を設けるとよい。
【手続補正１１】
【補正対象書類名】明細書
【補正対象項目名】００１４
【補正方法】変更
【補正の内容】
【００１４】
また、上記の各通信装置において、上記マークをアイコンとするとよい。
さらに、上記の各通信装置において、上記位置情報取得手段を、複数の基地局からの電波に基づいて位置を取得する、基地局による位置情報取得手段とするとよい。
【手続補正１２】
【補正対象書類名】明細書
【補正対象項目名】００１５
【補正方法】変更
【補正の内容】
【００１５】
また、この発明の位置情報処理方法は、通信装置に、自装置の位置情報を取得する位置情報取得手順と、上記位置情報取得手順で取得した位置情報と自装置に入力された入力情報とを、自装置の識別情報と他の通信装置の識別情報とを対応付けて記憶するとともにその他の通信装置の位置情報とその他の通信装置に入力された入力情報とを記憶する記憶装置に送信する送信手順と、自装置と対応付けられている他の通信装置の位置情報とその他の通信装置に入力された入力情報とを上記記憶装置から受信する受信手順と、上記受信手順で受信した位置情報またはその位置情報に基づいた位置のうちの１以上と、上記受信手順で受信した入力情報とを表示する表示手順とを実行させるものである。
【手続補正１３】
【補正対象書類名】明細書
【補正対象項目名】００１６
【補正方法】変更
【補正の内容】
【００１６】
このような位置情報処理方法において、上記通信装置に、上記受信手順において、上記位置情報及び入力情報に加え、自装置と対応付けられている他の通信装置の状態を示すステータス情報も上記記憶装置から受信させ、上記表示手順において、上記受信手段が受信したステータス情報も表示させるようにするとよい。
【手続補正１４】
【補正対象書類名】明細書
【補正対象項目名】００１７
【補正方法】変更
【補正の内容】
【００１７】
さらに、上記ステータス情報を、通信装置の動作状態に対応する情報とするとよい。
あるいは、上記ステータス情報を、通信装置の位置情報に基づいて決まる情報とするとよい。
あるいはまた、上記ステータス情報を、通信装置の位置情報及び、予め記憶されている、位置情報とステータス情報との対応関係に基づいて決まる情報とするとよい。
【手続補正１５】
【補正対象書類名】明細書
【補正対象項目名】００１８
【補正方法】変更
【補正の内容】
【００１８】
また、上記の各位置情報処理方法において、上記通信装置に、上記表示手順において、上記位置情報又は位置及び入力情報を、地図情報と共に表示させるようにするとよい。
さらに、上記通信装置に、上記表示手順において、上記位置情報に基づいて、自装置と対応付けられている他の通信装置の位置を示すマークを上記地図情報による地図上に表示させ、さらに、上記マークの選択に応じて、そのマークに対応する通信装置の電話番号を表示して発呼を可能にする手順を実行させるようにするとよい。
【手続補正１６】
【補正対象書類名】明細書
【補正対象項目名】００１９
【補正方法】変更
【補正の内容】
【００１９】
あるいは、上記通信装置に、上記表示手順において、上記位置情報に基づいて、自装置と対応付けられている他の通信装置の位置を示すマークを上記地図情報による地図上に表示させ、さらに、上記マークの選択に応じて、そのマークに対応する通信装置のメールアドレスが宛先に設定されているメール作成画面を表示する手順を実行させるようにするとよい。
【手続補正１７】
【補正対象書類名】明細書
【補正対象項目名】００２０
【補正方法】変更
【補正の内容】
【００２０】
また、上記の各位置情報処理方法において、上記マークをアイコンとするとよい。
さらに、上記の各位置情報処理方法において、上記位置情報取得手順を、複数の基地局からの電波に基づいて位置を取得する手順とするとよい。
【手続補正１８】
【補正対象書類名】明細書
【補正対象項目名】００２１
【補正方法】変更
【補正の内容】
【００２１】
また、この発明のプログラムは、通信装置を制御するコンピュータに実行させるためのプログラムであって、上記コンピュータに上記通信装置を制御させることにより、上記通信装置に、上記のいずれかの位置情報処理方法に係る各手順を実行させるためのプログラムである。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】変更
【補正の内容】
【００２７】
この発明による通信装置、位置情報処理方法及びプログラムによれば、取得した位置情報に基づいて、その位置情報に関連する種々の情報を短時間で容易に出力することができ、利便性が向上する。特に、プレゼンス機能を実現し、他の装置を使用するユーザの状態を、自分の通信装置を使って簡単に知ることができる。
【手続補正２５】
【補正対象書類名】明細書
【補正対象項目名】００２８
【補正方法】変更
【補正の内容】
【００２８】
この発明は、まず、図１に示す通信端末装置および図２に示す通信システムと、それらを使用した情報利用方法を提供する。
図１に示す通信端末装置１００は、位置情報を取得するＧＰＳ手段等の位置情報取得手段１０１と、それぞれ任意の位置を含む複数の領域を設定し、その各領域毎に該領域に関する情報を対応付けて記憶する情報記憶手段１０２と、位置情報取得手段１０１によって取得した位置情報が示す位置が、情報記憶手段１０２に記憶されているいずれかの領域内にあるか否かを検索し、ある場合には該領域に対応付けて記憶されている情報を読み出す情報検索手段１０３と、その情報検索手段１０３によって読み出された情報を出力する情報出力手段１０４とを備えたものである。
情報出力手段１０４が情報を出力するのは、情報を表示装置によって表示することに限らず、用紙に印刷すること、音声で出力すること、外部へ送信すること、あるいは外部記憶装置に記憶させることなども含む。
さらに、この通信端末装置１００には図１に破線で示すように、情報検索手段１０３によって、上記位置情報が示す位置が情報記憶手段１０２に記憶されているいずれの領域内にも無いか、あっても該領域に対応付けて記憶されている情報が所要の条件を満たしていない（例えば古い）と判断された場合には、上記位置情報を通信ネットワークを介してサーバ装置等の外部装置へ送信する位置情報送信手段１０５と、その外部装置から位置情報送信手段１０５が送信した位置情報が示す位置を含む領域に関する情報を受信して、情報出力手段１０４に出力させる情報受信手段１０６とを設けるとよい。
情報記憶手段１０２が設定する領域が地図データの領域であり、その領域に関する情報には該領域の地図データを含むのが望ましい。
このような通信端末装置１００においてさらに、位置情報取得手段１０１によって取得した位置情報に基づいて、この通信端末装置１００を使用しているユーザがどのような状態なのかを示す状態情報（ステータス情報）を生成する状態情報生成手段と、その状態情報生成手段が生成した状態情報を、他の通信端末装置が取得できるようにする状態情報取得許可手段とを設けるようにしてもよい。
その場合、上記状態情報生成手段が、予めユーザの異なる状態に対応する所定の位置情報を複数登録しておき、上記位置情報取得手段１０１によって取得した位置情報がその登録している所定の位置情報のどれに該当するか、あるいはいずれにも該当しないかを判別して上記状態情報を生成することができる。
上記状態情報取得許可手段は、上記状態情報の取得を許可する他の通信端末装置の端末識別情報をあらかじめ記憶しておき、他の通信端末装置から状態情報を取得する命令情報（コマンド）と端末識別情報を受信したとき、その受信した端末識別情報があらかじめ記憶している端末識別情報と一致した場合にのみ、該他の通信端末装置へ上記状態情報を送信するようにするとよい。
これらの通信端末装置において、位置情報取得手段１０１が取得した位置情報があらかじめ設定しておいた領域に入ったり、あるいは該領域から出た場合に、位置情報取得手段１０１による位置情報取得条件を変更する手段を設けてもよい。
また、位置情報取得手段１０１が取得した位置情報を、通信ネットワークを介して接続された第１の外部装置に送信して記憶させる手段と、その第１の外部装置に記憶している位置情報が所定の条件を満たした場合に、上記通信ネットワークを介して接続された第２の外部装置からその旨の情報を受信する手段とを備えることもできる。
あるいは、当該通信端末装置と通信ネットワークを介して接続されたあらかじめ登録された他の通信端末装置との位置関係が所定の条件になった場合に、その旨の情報を得る手段を有するようにしてもよい。
図２に示す通信システムは、通信端末装置１００′と通信ネットワーク２００を介して接続されるサーバ装置等の外部装置３００とからなる。
その通信端末装置は、位置情報を取得するＧＰＳ手段等の位置情報取得手段１０１と、その位置情報取得手段によって取得した位置情報を、通信ネットワーク２００を介して外部装置３００へ送信する位置情報送信手段１０７と、外部装置３００から送信される上記位置情報が示す位置が存在する領域に関する情報を、通信ネットワーク２００を介して受信する情報受信手段１０８と、その情報受信手段１０８が受信した情報を出力する情報出力手段１０９とを備えている。
この情報出力手段１０９が情報を出力するのも、情報を表示装置によって表示することに限らず、用紙に印刷すること、音声で出力すること、外部へ送信すること、あるいは外部記憶装置に記憶させることなども含む。
一方、外部装置３００は、それぞれ任意の位置を含む複数の領域を設定し、その各領域毎に該領域に関する情報を対応付けて記憶する情報記憶手段３０２と、通信端末装置１００′から送信される位置情報を、通信ネットワーク２００を介して受信する位置情報受信手段３０５と、その位置情報受信手段３０５が位置情報を受信したとき、その位置情報が示す位置が、情報記憶手段３０２によって記憶されているいずれかの領域内にあるか否かを検索し、ある場合には該領域に対応付けて記憶されている情報を読み出す情報検索手段３０３と、その情報検索手段３０３によって読み出された情報を、通信ネットワーク２００を介して通信端末装置１００′へ送信する情報送信手段３０６とを備えている。
この通信システムにおいて、通信端末装置１００′が、図１に示した通信端末装置１００と同様な情報記憶手段１０２と情報検索手段１０３とを備え、位置情報送信手段１０７は、情報検索手段１０３によって上記位置情報が示す位置が情報記憶手段１０２に記憶されているいずれの領域内にも無いか、あっても該領域に対応付けて記憶されている情報が所要の条件を満たしていない（例えば古い）と判断された場合にのみ、上記位置情報を、通信ネットワーク２００を介して外部装置３００へ送信するようにするとよい。
情報記憶手段１０２が設定する領域が地図データの領域であり、その領域に関する情報には該領域の地図データを含むのが望ましい。
その通信システムにおいて、通信端末装置１００′が、位置情報取得手段１０１によって所定の時間間隔をおいて取得される複数の位置情報によって、該通信端末装置１００′の移動方向と移動速度を算出し、その移動方向と移動速度に基づいて必要となる領域の地図データを予測して、その地図データを外部装置３００から前以てダウンロードする手段を有するとよい。
この発明による情報利用方法は、それぞれ任意の位置を含む複数の領域を設定し、その各領域毎に該領域に関する情報を対応付けて記憶しておき、上述した位置情報取得手段１０１のような手段によって位置情報を取得し、その取得した位置情報が示す位置が、記憶しているいずれかの領域内にあるか否かを検索し、ある場合には該領域に対応付けて記憶している情報を読み出して出力する。
この情報利用方法において、取得した位置情報が示す位置が記憶しているいずれの領域内にも無いか、あっても該領域に対応付けて記憶している情報が所要の条件を満たしていない（例えば古い）と判断した場合には、上記位置情報を通信ネットワークを介して外部装置（サーバ装置等）へ送信し、その外部装置から上記位置情報が示す位置を含む領域に関する情報を受信して出力するとよい。
上記設定する領域が地図データの領域であり、その領域に関する情報には該領域の地図データを含むことが望ましい。
さらに、位置情報取得手段によって取得した位置情報に基づいて、当該通信端末装置を使用しているユーザがどのような状態なのかを示す状態情報（ステータス情報）を生成し、その状態情報を、他の通信端末装置が取得できるようにしてもよい。
その場合、予めユーザの異なる状態に対応する所定の位置情報を複数登録しておき、位置情報取得手段によって取得した位置情報がその登録している所定の位置情報のどれに該当するか、あるいはいずれにも該当しないかを判別して上記状態情報を生成することができる。
上記状態情報の取得を許可する他の通信端末装置の端末識別情報をあらかじめ記憶しておき、他の通信端末装置から状態情報を取得する命令情報（コマンド）と端末識別情報を受信したとき、その受信した端末識別情報があらかじめ記憶している端末識別情報と一致した場合にのみ、該他の通信端末装置へ上記状態情報を送信するようにするとよい。
これらの情報利用方法において、位置情報取得手段が取得した位置情報があらかじめ設定しておいた領域に入ったり、あるいは該領域から出た場合に、位置情報取得手段による位置情報取得条件を変更することができる。
また、位置情報取得手段が取得した位置情報を、通信ネットワークを介して接続された第１の外部装置に送信して記憶させ、その第１の外部装置に記憶している位置情報が所定の条件を満たした場合に、通信ネットワークを介して接続された第２の外部装置からその旨の情報を受信することもできる。
あるいは、当該通信端末装置と通信ネットワークを介して接続されたあらかじめ登録された他の通信端末装置との位置関係が所定の条件になった場合に、その旨の情報を得るようにしてもよい。
図２に示したように、通信端末装置と通信ネットワークを介して接続されるサーバ装置等の外部装置とからなる通信システムにおける情報利用方法は、次にようにする。
通信端末装置１００′では、位置情報取得手段１０１によって取得した位置情報を通信ネットワーク２００を介して外部装置３００へ送信し、外部装置３００から送信される上記位置情報が示す位置が存在する領域に関する情報を通信ネットワーク２００を介して受信して出力する。
一方、外部装置３００では、それぞれ任意の位置を含む複数の領域を設定し、その各領域毎に該領域に関する情報を対応付けて記憶しており、通信端末装置１００′から送信される位置情報を通信ネットワーク２００を介して受信し、その受信した位置情報が示す位置が、記憶しているいずれかの領域内にあるか否かを検索し、ある場合には該領域に対応付けて記憶されている情報を読み出し、その情報を通信ネットワーク２００を介して通信端末装置１００′へ送信する。
この通信システムにおける情報利用方法において、通信端末装置１００′でも、それぞれ任意の位置を含む複数の領域を設定し、その各領域毎に該領域に関する情報を対応付けて記憶しており、位置情報取得手段１０１によって取得した位置情報が示す位置が、その記憶しているいずれかの領域内にあるか否かを検索し、ある場合には該領域に対応付けて記憶されている情報を読み出して出力し、上記位置情報が示す位置が記憶しているいずれの領域内にも無いか、あっても該領域に対応付けて記憶されている情報が所要の条件を満たしていない（例えば古い）と判断した場合にのみ、上記位置情報を通信ネットワーク２００を介して外部装置３００へ送信するとよい。
上記設定する領域が地図データの領域であり、その領域に関する情報には該領域の地図データを含むようにするのが望ましい。
そして、通信端末装置１００′では、位置情報取得手段１０１によって所定の時間間隔をおいて取得される複数の位置情報によって、該通信端末装置１００′の移動方向と移動速度を算出し、その移動方向と移動速度に基づいて必要となる領域の地図データを予測して、その地図データを外部装置３００から前以てダウンロードしておくようにするとよい。
【手続補正２６】
【補正対象書類名】明細書
【補正対象項目名】００２９
【補正方法】変更
【補正の内容】
【００２９】
次に、この発明を実施するための最良の形態を図面に基づいて具体的に説明する。
〔第１実施例：テレビ受信機付き携帯電話装置〕
図３は、この発明による通信端末装置の第１実施例を示すテレビ受信機付き携帯電話装置のブロック図である。
このテレビ受信機付き携帯電話装置１は、ＣＰＵ（中央処理装置）１０によって全体が制御される。そのＣＰＵ１０の実行プログラムはＲＯＭ（リード・オンリー・メモリ）１１に記憶され、ＣＰＵ１０はその実行プログラムをＲＯＭ１１から読み出し、その実行プログラムに含まれる命令を逐次解釈して装置全体の制御を行う。ＲＡＭ（ランダム・アクセス・メモリ）１２は、その制御に必要なワークエリアが形成されるとともに、保存パラメータ及びそのほか制御に必要な種々のパラメータや管理情報等を記憶するメモリ手段である。ＦＲＯＭ１３は、領域に関する情報（地図データを含む）、音楽情報、画像情報、動画情報等のデータを記憶するが、実行プログラムを記憶してもよい。
【手続補正２７】
【補正対象書類名】明細書
【補正対象項目名】０２９５
【補正方法】変更
【補正の内容】
【０２９５】
あるいはまた、前述の実施例を「位置情報を利用した土地価格提供サービス」にも応用できる。例えば、サーバ装置に領域情報（地域情報、位置情報）とその領域に対応した土地の価格情報（路線価、単位面積当たりの土地の価格）、その土地の位置情報（住所情報）、その他その土地に関する情報を複数登録しておく。そのサーバ装置は、通信端末装置から受信した位置情報に基づいて、その位置情報に基づく領域の土地価格情報、その土地の位置情報、その他その土地に関係する情報を通信端末装置に送信する。指定された領域内に複数の価格がある場合には、その領域内の複数の価格情報等を送信する。通信端末装置では、受信した情報をその価格順（例えば高い順）に、あるいは距離順に表示部に表示して出力する。
【手続補正２８】
【補正対象書類名】明細書
【補正対象項目名】０３７３
【補正方法】変更
【補正の内容】
【０３７３】
この発明は、携帯電話、ＰＨＳ、ＩＰ電話、ＩＰテレビ電話等の携帯型の通信装置をはじめ、ＩＣカード、ＩＣタグリーダ装置、移動無線機、無線ＬＡＮを使用したＩＰ電話やＩＰ端末装置、一般加入者電話機、通信機能付コンピュータ、あるいは携帯電話、ＰＨＳ、ＰＤＡ等の通信機能を備えた各種端末装置や、それらによる位置情報の利用方法に広く適用することができる。
さらに、コンピュータ装置、あるいは自動車その他の車両や船舶、飛行機等の輸送又は移動装置に搭載される通信装置にも勿論適用できる。